(57)【特許請求の範囲】
【請求項１】
エプロンと天板から構成されるカウンターであって、
建築躯体壁に当接していない角部を囲繞する保護部材を備え、
当該保護部材は、カウンター本体よりも軟質の材料にて形成されてなり、
前記保護部材は、前記カウンター本体のエプロンに密着する面が切りかかれた切欠き部を有し、
前記保護部材はさらに、前記切欠き部を挟んで、前記カウンターのエプロン前面に第一の接合部、前記エプロン裏面に第二の接合部として形成されてなることを特徴とするカウンター。
【請求項２】
洗面ボウルと、吐水部材とを有して成る請求項１記載のカウンター
【請求項３】
前記保護部材を着脱可能にしてなる請求項１又は２記載のカウンター
【発明の詳細な説明】
【０００１】
【発明の属する技術分野】
本発明は、洗面所、公衆トイレ、事務所トイレ等で洗顔や洗髪、食器等の洗浄に主に好適に使用されるカウンターに関するものであり、特に、身障者等が椅子に座ったり車椅子に座った状態で安全に使用できるよう工夫したものである。
【０００２】
【従来の技術】
従来、カウンターは天板、エプロンで構成されており、天板、エプロンは同材質の硬質材料である場合が多い。
【０００３】
【発明が解決しようとする課題】
車椅子等でカウンターを使用する場合はなるべくカウンターに近づいたほうが、洗顔や洗髪、食器等の洗浄行為がし易い。しかしながら、カウンターに近づく際にカウンターのエプロン木口と車椅子肘パットとの間で手を挟む恐れがある。又、カウンターに近づく際にエプロンの表面に手をぶつける恐れがある。さらに、カウンターに車椅子をぶつける恐れがある。本発明の第１の目的は、このようにカウンターの角部にぶつかった場合であっても、衝撃を効率的に吸収可能にしたカウンターを提供することにある。
【０００４】
また、このように衝撃を吸収する部材を設けた場合にはカウンターを使用する毎に手、および、車椅子等から衝撃を受けるため、カウンターに比べて劣化が激しく、取替えが必要である。本発明の第２の目的は、衝撃を吸収する部材を適宜交換可能にしたカウンターを提供することにある。
【０００５】
本発明は、このような従来のカウンターにおける問題点に着目してなされたものであって、その目的とする根本的なところは、従来のカウンターにおける問題点を解消し、身障者等使用者が椅子に座った状態もしくは車椅子に座った状態で安全に使用でき、しかも、使い勝手のよいカウンターを提供することにある。
【０００６】
【課題を解決するための手段】
上記目的を達成するために、第１の発明では、建築躯体壁に当接していない角部を囲繞する保護部材を備え、当該保護部材は、カウンター本体よりも軟質の材料にて形成されてなり、前記保護部材は、前記カウンター本体のエプロンに密着する面が切りかかれた切欠き部を有し、前記切欠き部を挟んで、前記カウンターのエプロン前面に第一の接合部、前記エプロン裏面に第二の接合部として形成されてなることを特徴とするカウンターを提供する。
【０００７】
本発明における保護部材としては、軟質樹脂、ゴム等が好適に用いられる。また、保護部材は、建築躯体壁に当接してないカウンター角部の全部を囲繞するようにしていてもよいが、使用者の手などが触れ易い部分のみを囲繞していてもよい。
【０００８】
本発明に係るカウンターはブラケット、固定金具もしくは支持台等で支持されて、建築躯体に取付けられている。
【０００９】
本発明に係るカウンターは、天板とエプロン等の部材に分割して成形され、それらを組合せて形成されていてもよい。
【００１０】
本発明によれば、使用者が触れることのあるカウンター角部が柔らかくなっているので、車椅子等でカウンターに近づく際に、誤ってカウンターと車椅子肘パットとの間に手を挟まれた場合でも保護部材により従来のものに比べ衝撃を効率的に吸収できるため安全であり、使用者も安心感を持って洗面カウンターを利用することができる。
また、本発明によれば、保護部材は切り欠きにより、切り欠きを有しない場合と比べ、より大きな衝撃を吸収することが出来る。
【００１１】
第２の発明では、洗面ボウルと、吐水部材とを有してなる第１の発明記載のカウンターを提供する。
【００１２】
本発明においては、洗面ボウルは別体で設けられていても、カウンター本体と一体で設けられていてもよい。また、吐水部材は、水又は湯もしくはその双方を吐出できるようになっていればよい。
【００１３】
本発明によれば、使用者の体が触れることのあるカウンター角部が柔らかくなっているので、使用者が手洗いや洗面のために体を傾けて体重をカウンターにかけた場合でもあたりが柔らかく快適に使用することができるようになる。
【００１４】
第３の発明では、前記保護部材を着脱可能にしてなる第１の発明又は第２の発明記載のカウンターを提供する。
【００１５】
本発明によれば、カウンターの長期間に渡る使用により当該保護部材が摩耗したり汚れたりした場合でも保護部材のみを取り替えることができるためメンテナンスを容易にすることができる。
【００２４】
上記各発明にあっては、カウンター本体と保護部材とを接合する手段としては、両面テープ、接着剤、ねじ、ステープル等が好適に使用される。
【００２６】
上記各発明にあっては、カウンター支持材は、カウンターを支持できるものであれば、従来からカウンターの支えとして使用されているものがそのまま使用できるものであれば特に限定されるものではないが、例えば、カウンターの四隅をＬ型アングルで壁に支持したものでもよく、両端辺をＬ型アングルで壁に支持したものでもよい。
【００２７】
上記各発明にあっては、支持台は、カウンターを支持できるものであれば、従来からカウンターの支えとして使用されているものがそのまま使用できるものであって特に限定されるものではないが、たとえば、カウンターの両端をキャビネット、パネルで支持したものでもよく、片側をパネル、他方をキャビネットで支持したもの、四隅に単なる脚を立設したものでもよい。又、上記ブラケット、固定金具、支持台を各々組み合わせたものでもよい。
【００２８】
上記各発明にあっては、天板の形状は特に限定されるものではないが、たとえば、バックガードを含むものでも、含まないものでもよい。本発明にあっては、カバーとは、緩衝材であって材質が特に限定されるものではないが、たとえば、軟質塩化ビニル、熱可塑性エラストマー、シリコン、ウレタン等の軟質樹脂や発泡スチロール、発泡ポリエチレン等の発泡材、アクリル、塩化ビニル、ペット等の軟質シート、ゴム類でよい。本発明において、合板代替え品とは、ビス、ステイプルが通し易いものであって、特に限定されるものではないが、たとえば天然木、パーチクルボードやＭＤＦ等の木製品、低発泡ポリスチレン、低発泡ポリエチレン、発砲ウレタン等の発材でよい。
【００２９】
【発明の実施の形態】
次に、本発明の実施の形態を図面を基に説明する。尚、本発明の実施の形態はこれらに限定されるものではない。図１、２、３は本発明カウンターの一例を示す正面図、図４は図１、２、３のａ−ａ線における断面図である。
【００３０】
図１において、１はカウンターであり洗面ボールを取付けられる開口部２を具備して、その周囲に水栓金具等、洗顔や洗髪、食器等の洗浄に必要な器具が取付けられる。カウンター１は天板３、エプロン４、バックガード５からなり、ブラケット６、７で支持される。
【００３１】
図２において、カウンター１は固定金具８，９で支持される。
【００３２】
図３において、カウンター１は支持台１０、１１で支持される。図１、２、３においてカウンター１の下部には膝入り用凹空間部２０が設けられている。
【００４７】
図４において、中空構造でかつ、エプロン木口１２に密着する面に切り欠きを有するカバー１４はエプロン木口１２および、エプロン表面１３に両面テープ１７，１８により密着固定される。
【図面の簡単な説明】
【図１】本発明カウンターの一例を示す正面図である。
【図２】本発明カウンターの一例を示す正面図である。
【図３】本発明カウンターの一例を示す正面図である。
【図４】図１、２、３のａ−ａ線における断面図。
【符号の説明】
１…カウンター
２…洗面器用開口
３…天板
４…エプロン
５…バックガード
６、７…ブラケット
８，９…固定金具
１０，１１…支持台
１２…エプロン木口
１３…エプロン表面
１４…カバー
１７、１８…両面テープ
２０…膝入り用凹空間部
【図１】
0004461469.tif 000002
【図２】
0004461469.tif 000003
【図３】
0004461469.tif 000004
【図４】
0004461469.tif 000005